(57)【要約】    【課題】  楽器用フレームの連結部分の剛性を確保しつつ、組み立て作業を容易にする。    【解決手段】  フレームアセンブリＦＡＳは、左右一対の、左側、右側フレーム体ＬＦＭ、ＲＦＭを、上側連結体２０ＡＳ及び下側連結体３０ＡＳで連結固定して構成される。フレームアセンブリＦＡＳの後側支柱フレーム１４Ｌ上部には、嵌合用ブロック２３が取り付けられる。上側連結体２０ＡＳの左端部２０ＡＳｃは、パイプ部材２０の左端部２０ｃに、嵌合用ブロック２３に対して嵌合的な固定金具２２等が固定されて構成される。嵌合用ブロック２３に上側連結体２０ＡＳの左端部２０ＡＳｃを嵌合し、嵌合用ブロック２３のネジ穴２３ｂに付けネジ２７を螺合すると、上側連結体２０ＡＳの端面２０ｂ１が、嵌合用ブロック２３を介することなくスペーサ２４を介して後側支柱フレーム１４Ｌに対して圧接状態となる。【選択図】    図３
2005122088.tif 000002
【特許請求の範囲】
【請求項１】
少なくとも鍵盤部を有する鍵盤ユニットを楽器用フレームで保持するようにされた電子鍵盤楽器であって、
前記楽器用フレームは、
左右一対の脚体と、
前記両脚体間の内側方向に相対向して該両脚体に突設された少なくとも一対の嵌合部材と、
前記一対の嵌合部材に対応して設けられ、対応する両嵌合部材に対してそれぞれ嵌合的な両端部を有する連結体とを有し、
前記連結体の両端部を、それぞれ対応する嵌合部材に嵌合した後、該嵌合部材に対して螺着することで、前記連結体の両端部の端面が、前記対応する嵌合部材を介することなく、実質的に、対応する脚体に対して圧接状態となって、前記両脚体が前記連結体で連結固定されるように構成されたことを特徴とする電子鍵盤楽器。
【請求項２】
前記連結体は、前記楽器用フレームにおいて前記鍵盤ユニットが保持される高さと略同一高さに配置され、且つ、その両端部にはそれぞれ、対応する両嵌合部材に対して螺着するための開口部が奏者側方向を向いて設けられており、前記鍵盤ユニットが前記楽器用フレームに保持されたとき、前記連結体の前記両開口部が前記鍵盤ユニットに隠れて奏者側から見えないように構成されたことを特徴とする請求項１記載の電子鍵盤楽器。
【請求項３】
前記楽器用フレームは、前記連結体により前記両脚体の後部同士が連結されることで、平面視において、奏者側が開口した略コ字状を呈し、前記両脚体には、前記鍵盤ユニットを前記連結体よりも奏者側方向で保持固定するための鍵盤ユニット保持部が設けられ、前記鍵盤ユニットが前記鍵盤ユニット保持部に保持固定されたとき、前記楽器用フレームの開口側の開閉方向の動きが規制されるように構成されたことを特徴とする請求項１または２記載の電子鍵盤楽器。
【請求項４】
少なくとも座板部を支持する左右一対の脚体と、
前記両脚体に突設された少なくとも一対の嵌合部材と、
前記一対の嵌合部材に対応して設けられ、対応する両嵌合部材に対してそれぞれ嵌合的な両端部を有する連結体とを有し、
前記連結体の両端部を、それぞれ対応する嵌合部材に嵌合した後、該嵌合部材に対して螺着することで、前記連結体の両端部の端面が、前記対応する嵌合部材を介することなく、実質的に、対応する脚体に対して圧接状態となって、前記両脚体が前記連結体で連結固定されるように構成されたことを特徴とする楽器用椅子。
【請求項５】
少なくとも鍵盤部を有する鍵盤ユニットを楽器用フレームで保持するようにされた電子鍵盤楽器であって、
前記楽器用フレームは、
左右一対の脚体と、
前記両脚体間の内側方向に相対向して該両脚体に突設された少なくとも一対の係合部材と、
前記一対の係合部材に対応して設けられ、対応する両係合部材に対してそれぞれ係合的な両端部を有する連結体と、
前記一対の係合部材において前記内側方向の端面以外の部分に各々設けられ、ハ字状を呈する一対のテーパ斜面と、
前記一対のテーパ斜面に対応して前記連結体の前記両端部にそれぞれ設けられ、該一対のテーパ斜面にそれぞれ対向する一対の対向斜面とを有し、
前記連結体の前記両端部をそれぞれ対応する係合部材に係合させることで、前記両端部の前記一対の対向斜面を前記一対の係合部材の対応する一対のテーパ斜面に当接させた後、前記両端部を前記係合部材に対して螺着することで、前記一対の対向斜面と前記対応する一対のテーパ斜面とが圧接状態となって、前記両脚体が前記連結体で連結固定されるように構成されたことを特徴とする電子鍵盤楽器。
【請求項６】
前記連結体の前記両端部をそれぞれ対応する係合部材に係合させる際に、前記係合部材の一対のテーパ斜面の双方に平行な直線の方向における前記連結体の前記両端部の位置を規制するための位置決め手段を有することを特徴とする請求項５記載の電子鍵盤楽器。
【発明の詳細な説明】
【技術分野】
【０００１】
本発明は、鍵盤ユニットを楽器用フレームで保持するようにした電子鍵盤楽器及び楽器用椅子に関する。
【背景技術】
【０００２】
従来、下記特許文献１に示されるように、左右一対の脚体を、連結体であるステイ部材で連結して楽器用フレームを構成し、この楽器用フレームに鍵盤ユニットを保持するようにした電子鍵盤楽器が知られている。
【０００３】
このような電子鍵盤楽器では一般に、ステイ部材は、その両端部が両脚体に取り付けられ、例えば、左右の脚体の外側からネジで螺着することで脚体に固定される。その場合、螺着は、ステイ部材の位置を、脚体の螺着用穴の位置に合わせた後になされる。
【特許文献１】特許第２７４５９５２号
【発明の開示】
【発明が解決しようとする課題】
【０００４】
しかしながら、楽器用フレームの組み立てにおいて、ステイ部材を螺着する際、重いステイ部材を脚体の螺着用穴位置に適切に合致させて手等で仮保持し、しかも、螺着するまでその仮保持状態を維持する必要があるため、特に１人で作業する場合、ステイ部材を固定する作業が容易でないという問題があった。一方、ステイ部材の固定作業の容易さを優先するあまり、楽器用フレームにおける連結部分の剛性が低下することは避けなければならない。
【０００５】
また、楽器用椅子においても、上記電子鍵盤楽器と同様に脚体とステイ部材とで構成される場合は、ステイ部材の固定に関し同様の問題があった。
【０００６】
本発明は上記従来技術の問題を解決するためになされたものであり、その目的は、連結部分の剛性を確保しつつ、組み立て作業を容易にすることができる電子鍵盤楽器及び楽器用椅子を提供することにある。
【課題を解決するための手段】
【０００７】
上記目的を達成するために本発明の請求項１の電子鍵盤楽器は、少なくとも鍵盤部（４１）を有する鍵盤ユニット（ＫＢ）を楽器用フレーム（ＦＡＳ）で保持するようにされた電子鍵盤楽器であって、前記楽器用フレームは、左右一対の脚体（ＬＦＭ、ＲＦＭ）と、前記両脚体間の内側方向に相対向して該両脚体に突設された少なくとも一対の嵌合部材（２３）と、前記一対の嵌合部材に対応して設けられ、対応する両嵌合部材に対してそれぞれ嵌合的な両端部（２０ＡＳｃ、２０ＡＳｄ）を有する連結体（２０ＡＳ）とを有し、前記連結体の両端部を、それぞれ対応する嵌合部材に嵌合した後、該嵌合部材に対して螺着することで、前記連結体の両端部の端面（２０ｂ１、２０ｂ２）が、前記対応する嵌合部材を介することなく、実質的に、対応する脚体に対して圧接状態となって、前記両脚体が前記連結体で連結固定されるように構成されたことを特徴とする。
【０００８】
この構成によれば、両脚体を連結体で連結固定する際、連結体の両端部を嵌合部材に嵌合することで、連結体の位置決めと安定的な仮保持が容易である。また、連結体の両端部を嵌合部材に対して螺着することで、連結体の両端部の端面が、嵌合部材を介することなく、実質的に、脚体に対して圧接状態となるので、両脚体が連結体と直接的に結合した状態となり、嵌合部材と連結体との嵌合と相まって、連結部分の剛性が高い。
【０００９】
上記目的を達成するために本発明の請求項４の楽器用椅子は、少なくとも座板部（３５）を支持する左右一対の脚体と、前記両脚体に突設された少なくとも一対の嵌合部材と、前記一対の嵌合部材に対応して設けられ、対応する両嵌合部材に対してそれぞれ嵌合的な両端部を有する連結体（３２ＡＳ、３３ＡＳ、３４ＡＳ、）とを有し、前記連結体の両端部を、それぞれ対応する嵌合部材に嵌合した後、該嵌合部材に対して螺着することで、前記連結体の両端部の端面が、前記対応する嵌合部材を介することなく、実質的に、対応する脚体に対して圧接状態となって、前記両脚体が前記連結体で連結固定されるように構成されたことを特徴とする。
【００１０】
上記目的を達成するために本発明の請求項５の電子鍵盤楽器は、少なくとも鍵盤部を有する鍵盤ユニットを楽器用フレームで保持するようにされた電子鍵盤楽器であって、前記楽器用フレームは、左右一対の脚体と、前記両脚体間の内側方向に相対向して該両脚体に突設された少なくとも一対の係合部材（５０）と、前記一対の係合部材に対応して設けられ、対応する両係合部材に対してそれぞれ係合的な両端部（７０ＡＳｃ）を有する連結体（７０ＡＳ）と、前記一対の係合部材において前記内側方向の端面以外の部分に各々設けられ、ハ字状を呈する一対のテーパ斜面（５１ａ、５１ｂ）と、前記一対のテーパ斜面に対応して前記連結体の前記両端部にそれぞれ設けられ、該一対のテーパ斜面にそれぞれ対向する一対の対向斜面（６１ａ、６１ｂ）とを有し、前記連結体の前記両端部をそれぞれ対応する係合部材に係合させることで、前記両端部の前記一対の対向斜面を前記一対の係合部材の対応する一対のテーパ斜面に当接させた後、前記両端部を前記係合部材に対して螺着することで、前記一対の対向斜面と前記対応する一対のテーパ斜面とが圧接状態となって、前記両脚体が前記連結体で連結固定されるように構成されたことを特徴とする。
【００１１】
この構成によれば、連結体の両端部の一対の対向斜面と係合部材の対応する一対のテーパ斜面とが当接すると、一対のテーパ斜面の双方に平行な直線の方向以外の方向の位置決めが自動的になされるので、位置決めが容易である。また、連結体の両端部を係合部材に対して螺着すると、両端部の一対の対向斜面と係合部材の対応する一対のテーパ斜面とが圧接状態となるので、あらゆる方向に対して剛性が高い。
【発明の効果】
【００１２】
本発明の請求項１によれば、楽器用フレームの連結部分の剛性を確保しつつ、組み立て作業を容易にすることができる。
【００１３】
本発明の請求項４によれば、楽器用椅子の脚体の連結部分の剛性を確保しつつ、組み立て作業を容易にすることができる。
【００１４】
本発明の請求項５によれば、楽器用フレームの連結部分の剛性を確保しつつ、組み立て作業を容易にすることができる。
【発明を実施するための最良の形態】
【００１５】
以下、本発明の実施の形態を図面を参照して説明する。
【００１６】
（第１の実施の形態）
まず、本発明の第１の実施の形態に係る電子鍵盤楽器を説明する。図１は、本発明の第１の実施の形態に係る電子鍵盤楽器の外観斜視図である。図２は、同電子鍵盤楽器の分解斜視図である。以降、本電子鍵盤楽器の奏者側を「前方」、奏者からみて本電子鍵盤楽器の左方、右方をそれぞれ「左方」、「右方」と呼称する。
【００１７】
図２に示すように、本電子鍵盤楽器は、フレームアセンブリＦＡＳに、鍵盤ユニットＫＢ、スピーカユニットＳＰ及びペダル鍵盤ユニットＰＫを組み付けて成る。鍵盤ユニットＫＢは、図示しない楽音形成回路、制御回路及び各種電気部品等が含まれるメイン回路部４０と、メイン回路部４０とは別体で構成される鍵盤部４１とで成り、メイン回路部４０の上に鍵盤部４１が重ねられて構成されている。鍵盤部４１とメイン回路部４０とは、分離及び結合が可能なように、所定箇所にてロックされている。また、鍵盤ユニットＫＢの左端部ＫＢａ１からは一体に形成される鍔部４２Ｌ、４３Ｌが、鍵盤ユニットＫＢの右端部ＫＢａ２からは一体に形成される鍔部４２Ｒ、４３Ｒが、鍵盤ユニットＫＢの本体から突出してそれぞれ延設される。
【００１８】
図２に示すように、フレームアセンブリＦＡＳは、左右一対の左側フレーム体ＬＦＭと右側フレーム体ＲＦＭとを、上側連結体２０ＡＳ及び下側連結体３０ＡＳで連結固定して構成される。左側フレーム体ＬＦＭは、主として、金属製でいずれも中空の、前側支柱フレーム１１Ｌ、上前半部フレーム１２Ｌ、上後半部フレーム１３Ｌ、後側支柱フレーム１４Ｌ及び底フレーム１５Ｌが一体に形成されて構成され、側面視略５角形を呈する。なお、これらフレームの一部を別体で構成し、他のフレームに対して溶接等で固定してもよい。右側フレーム体ＲＦＭについても、前側支柱フレーム１１Ｒ、上前半部フレーム１２Ｒ、上後半部フレーム１３Ｒ、後側支柱フレーム１４Ｒ及び底フレーム１５Ｒが一体に形成され、左側フレーム体ＬＦＭと左右対称に同様に構成される。
【００１９】
左側フレーム体ＬＦＭの底フレーム１５Ｌと右側フレーム体ＲＦＭの底フレーム１５Ｒとには、内側方向に相対向してＰＫ取付部１８Ｌ、１８Ｒが設けられる。一方、ペダル鍵盤ユニットＰＫの両端部の左右対称位置には、係止部１０Ｌ、１０Ｒ（係止部１０Ｌは図示せず）が突設されている。ＰＫ取付部１８Ｌ、１８Ｒには、係止部１０Ｌ、１０Ｒを嵌合保持するための凹部ｈ１が、上方に開口して設けられており、ペダル鍵盤ユニットＰＫ
の係止部１０Ｌ、１０ＲをＰＫ取付部１８Ｌ、１８Ｒに係止することで、ペダル鍵盤ユニットＰＫが両フレーム体ＬＦＭ、ＲＦＭに保持される。これにより、ペダル鍵盤ユニットＰＫがフレームアセンブリＦＡＳに簡単に組み付けられる。ペダル鍵盤ユニットＰＫが組み付けられたとき、ペダル鍵盤ユニットＰＫの底部あるいは図示しない脚部の底部が、設置面（床面）Ｇ（図１参照）に対してほぼ面一となる。従って、通常、少なくとも操作時においては、ペダル鍵盤ユニットＰＫが設置面Ｇによっても保持される。
【００２０】
左側フレーム体ＬＦＭと右側フレーム体ＲＦＭにはまた、内側方向に相対向して、それぞれ左サイドカバー１６Ｌ、右サイドカバー１６Ｒが設けられる。両サイドカバー１６Ｌ、１６Ｒは、例えば、溶接により両フレーム体ＬＦＭ、ＲＦＭにそれぞれ固定される。
【００２１】
図２に示すように、左サイドカバー１６Ｌは、その下部が内側方向（右方）に屈曲し、内側方向に延びた水平部分が、鍵盤ユニットＫＢを保持するための鍵盤ユニット保持部１６Ｌａとなっている。鍵盤ユニット保持部１６Ｌａには、取り付け穴１６Ｌａａ、取り付け穴１６Ｌａｂが例えば２個ずつ設けられる。また、鍵盤ユニット保持部１６Ｌａには、段差状のステイ部材１７Ｌが取り付けられ、ステイ部材１７Ｌの、鍵盤ユニット保持部１６Ｌａから１段下がった水平部分が、スピーカユニットＳＰを保持するためのスピーカユニット保持部１７Ｌａとなっている。
【００２２】
右側フレーム体ＲＦＭにおいても同様に、鍵盤ユニット保持部１６Ｌａ、取り付け穴１６Ｌａａ、１６Ｌａｂと左右対称に、右サイドカバー１６Ｒに、鍵盤ユニット保持部１６Ｒａが形成されるほか、取り付け穴１６Ｒａａ、１６Ｒａｂが設けられ（図示省略）、さらにスピーカユニット保持部１７Ｌａと左右対称にスピーカユニット保持部１７Ｒａ（図示省略）が設けられている。
【００２３】
鍵盤ユニットＫＢの下面には、取り付け穴１６Ｌａａ、１６Ｌａｂ、１６Ｒａａ、１６Ｒａｂ対応してネジ穴（図示せず）が設けられており、これら対応するもの同士の位置を合わせてネジ止めすることで、鍵盤ユニットＫＢが鍵盤ユニット保持部１６Ｌａ、１６Ｒａを介して左側フレーム体ＬＦＭ、右側フレーム体ＲＦＭに保持される。
【００２４】
鍵盤ユニットＫＢの鍔部４２Ｌ、４３Ｌ、及び鍔部４２Ｒ、４３Ｒは、側面視において、左側フレーム体ＬＦＭの上前半部フレーム１２Ｌ、上後半部フレーム１３Ｌ、及び右側フレーム体ＲＦＭの上前半部フレーム１２Ｒ、上後半部フレーム１３Ｒに対応する形状を有し、鍵盤ユニットＫＢがフレームアセンブリＦＡＳに保持されたとき、鍔部４２Ｌ、４３Ｌ、４２Ｒ、４３Ｒとフレーム１２Ｌ、１３Ｌ、１２Ｒ、１３Ｒとの間に僅かな間隙が生じるようになっている。すなわち、鍵盤ユニットＫＢは鍵盤ユニット保持部１６Ｌａ、１６Ｒａで保持され、樹脂で構成される鍔部４２Ｌ、４３Ｌ、４２Ｒ、４３Ｒは、腕木に相当する部分のカバーに過ぎない。
【００２５】
また、図２に示すように、スピーカユニットＳＰの上部には天板３９が固定され、天板３９の左右両端部は鍔状に突出した被保持部３９ａ、３９ｂとなっている。これら被保持部３９ａ、３９ｂを、スピーカユニット保持部１７Ｌａ、１７Ｒａの上に載せ、下方から螺着することで、スピーカユニットＳＰがスピーカユニット保持部１７Ｌａ、１７Ｒａを介して左側フレーム体ＬＦＭ、右側フレーム体ＲＦＭに保持される。
【００２６】
図３は、上側連結体２０ＡＳの左端部と左側フレーム体ＬＦＭとの連結関係を示す分解図である。同図（ａ）は正面図、同図（ｂ）は、下面図である。図４は、上側連結体２０ＡＳの左端部の左側フレーム体ＬＦＭに対する連結状態を示す図である。同図（ａ）は正面図、同図（ｂ）は同図（ａ）のＡ−Ａ線に沿う断面図である。
【００２７】
上側連結体２０ＡＳは、金属製の断面略矩形の中空のパイプ部材２０の左右両端部２０ｃ、２０ｄにそれぞれ固定金具等を固定して構成される。上側連結体２０ＡＳの左端部２０ＡＳｃが左側フレーム体ＬＦＭの後側支柱フレーム１４Ｌに固定され、上側連結体２０の右端部２０ＡＳｄが、右側フレーム体ＲＦＭの後側支柱フレーム１４Ｒに固定される。図３（ａ）、（ｂ）、図４（ａ）、（ｂ）では、上側連結体２０ＡＳの左端部２０ＡＳｃについてのみ示しているが、右端部２０ＡＳｄについても左右対称に同様に構成されるので、その詳細な図示が省略されている。
【００２８】
すなわち、図３（ａ）、（ｂ）に示すように、パイプ部材２０の左端部２０ｃには、固定金具２２が嵌合される。固定金具２２には、締め付けネジ２７をワッシャ２６を介して後述する嵌合用ブロック２３に螺着するための傾斜部２２ｅと、４枚の延設片２２ａ、２２ｂ、２２ｃ、２２ｄとが一体に形成され、これら延設片２２ａ〜２２ｄがパイプ部材２０の左端部２０ｃの内側面にスポット溶接等で固定される。傾斜部２２ｅには、締め付けネジ２７が挿通される穴２２ｆが設けられる。パイプ部材２０にはまた、奏者側の面（前面）に、締め付けネジ２７を螺着する際の作業スペースとなる楕円形の開口部２０ａが形成され、さらに、樹脂製のカバー２１が開口部２０ａの主に右部を覆うようににネジ２８で螺着固定されている。
【００２９】
一方、図３、図４に示すように、後側支柱フレーム１４Ｌの上部には、上側連結体２０ＡＳの左端部２０ＡＳｃに対応する嵌合用ブロック２３が取り付けられる。嵌合用ブロック２３に対して、固定金具２２は嵌合的な形状に形成されている。図３に示すように、後側支柱フレーム１４Ｌには、嵌合用ブロック２３を取り付けるための２つのネジ穴１４Ｌａが形成される。また、嵌合用ブロック２３には、後側支柱フレーム１４Ｌに対して固定されるための２つの取り付け穴２３ａがネジ穴１４Ｌａに対応して形成されると共に、上側連結体２０ＡＳに対して固定されるための１つのネジ穴２３ｂが形成されている。
【００３０】
図３（ａ）、（ｂ）、図４（ｂ）に示すように、嵌合用ブロック２３は、図３（ａ）の側面視において矩形で環状のスペーサ２４を介して、ネジ２５で後側支柱フレーム１４Ｌに螺着固定される。このようにして嵌合用ブロック２３が螺着されると、嵌合用ブロック２３は、後側支柱フレーム１４Ｌから内側に突設した状態で後側支柱フレーム１４Ｌに強固に固定される。以降、嵌合用ブロック２３を含む、嵌合用ブロック２３が後側支柱フレーム１４Ｌに固定された部分を、「左部上側固定部分２３ＡＳ」と呼称する（図３（ａ）参照）。なお、図４（ａ）では、ネジ２５、締め付けネジ２７及びワッシャ２６の図示が省略されている。
【００３１】
詳細は図示しないが、下側連結体３０ＡＳは、上側連結体２０ＡＳと同様に構成される。また、左部上側固定部分２３ＡＳに対応する後側支柱フレーム１４Ｒの固定部分についても左部上側固定部分２３ＡＳと同様に構成される。さらに、これら固定部分に対応して、下側連結体３０ＡＳが固定される後側支柱フレーム１４Ｌ、１４Ｒの各固定部分についても同様に構成される。
【００３２】
上側連結体２０ＡＳ、下側連結体３０ＡＳは、次のような手順で後側支柱フレーム１４Ｌ、１４Ｒに固定される。まず、後側支柱フレーム１４Ｌの上部に嵌合用ブロック２３を螺着固定すると共に、これと同様に、後側支柱フレーム１４Ｌの下部、及び後側支柱フレーム１４Ｒの上部、下部の各所定位置に、対応する不図示の嵌合用ブロックをそれぞれ螺着固定する。
【００３３】
一方、これらとは別に、パイプ部材２０の左端部２０ｃに固定金具２２を固定すると共に、これと同様に、パイプ部材２０の右端部に不図示の固定金具を固定して、上側連結体２０ＡＳを得る。さらに、上側連結体２０ＡＳと同様の手順で下側連結体３０ＡＳを得る。
【００３４】
次に、後側支柱フレーム１４Ｌの左部上側固定部分２３ＡＳ（図３（ａ）参照）の嵌合用ブロック２３に、上側連結体２０ＡＳの左端部２０ＡＳｃの固定金具２２を嵌合する。このとき、嵌合用ブロック２３と固定金具２２とは隙間無く嵌合するようになっており、後側支柱フレーム１４Ｌに対して上側連結体２０ＡＳの左端部２０ＡＳｃが仮保持された状態が容易に且つ安定的に維持される。上側連結体２０ＡＳの右端部２０ＡＳｄについても同様に、後側支柱フレーム１４Ｒの嵌合用ブロックに嵌合することで、後側支柱フレーム１４Ｒに仮保持される。下側連結体３０ＡＳについても上側連結体２０ＡＳと並行して作業し、後側支柱フレーム１４Ｌ、１４Ｒに対して仮保持状態とする。
【００３５】
その後、図３（ｂ）、図４（ｂ）に示すように、傾斜部２２ｅの穴２２ｆにワッシャ２６を介して締め付けネジ２７を挿通し、嵌合用ブロック２３のネジ穴２３ｂに締め付けネジ２７を螺合していくと、嵌合用ブロック２３に対して固定金具２２の延設片２２ａ〜２２ｄが摺動し、やがて、パイプ部材２０の左端部２０ｃの端面２０ｂ１がスペーサ２４に当接し、さらに締め付けネジ２７を締め付けると、端面２０ｂ１が嵌合用ブロック２３を介することなくスペーサ２４を介して後側支柱フレーム１４Ｌに対して圧接状態となる（図４（ａ）、（ｂ）参照）。これにより、後側支柱フレーム１４Ｌに対して上側連結体２０ＡＳの左端部２０ＡＳｃが強固に固定状態となる。
【００３６】
これと同様に、上側連結体２０ＡＳの右端部２０ＡＳｄ、下側連結体３０ＡＳの左右両端部３０ＡＳｃ、３０ＡＳｄ（図１参照）についても、後側支柱フレーム１４Ｌ、１４Ｒの対応する部分に固定することで、左側フレーム体ＬＦＭと右側フレーム体ＲＦＭとが、上側連結体２０ＡＳ及び下側連結体３０ＡＳによって連結される。例えば、上側連結体２０ＡＳの右端部２０ＡＳｄについては、その端面２０ｂ２（図３（ａ）、（ｂ）参照）が、後側支柱フレーム１４Ｒの左方の面に対して圧接状態となる。その後、サイドカバー１６Ｌ、１６Ｒ、スピーカユニット保持部１７Ｌａ、１７Ｒａ、ＰＫ取付部１８Ｌ、１８Ｒ等を取り付けることで、フレームアセンブリＦＡＳが得られる。さらに、フレームアセンブリＦＡＳに鍵盤ユニットＫＢ、スピーカユニットＳＰ、ペダル鍵盤ユニットＰＫを固定することで、電子鍵盤楽器が完成する。
【００３７】
ここで、図１に示すように、上側連結体２０ＡＳは、鍵盤ユニット保持部１６Ｌａとほぼ同じ高さ、厳密には、上側連結体２０ＡＳの下端部が鍵盤ユニット保持部１６Ｌａの上面とほぼ同じ高さに位置し、下側連結体３０ＡＳは、ＰＫ取付部１８Ｌ、１８Ｒとほぼ同じ高さに位置する。従って、完成後の電子鍵盤楽器においては、奏者側からみて、上側連結体２０ＡＳは鍵盤ユニットＫＢに隠れ、下側連結体３０ＡＳはペダル鍵盤ユニットＰＫに隠れる。それだけでなく、上側連結体２０ＡＳ、下側連結体３０ＡＳの各開口部（開口部２０ａ等）も隠れて見えないようになっていることから、電子鍵盤楽器の正面からの見栄えが向上している。さらには、下側連結体３０ＡＳの各開口部は、後方からも見えず、電子鍵盤楽器の後方からの見栄えも向上している。
【００３８】
また、上側連結体２０ＡＳと下側連結体３０ＡＳは、左側フレーム体ＬＦＭ及び右側フレーム体ＲＦＭの上部同士と下部同士という上下方向に離間した位置をそれぞれ連結しているので、見栄えを維持しつつ、最小限の本数の連結体でフレームアセンブリＦＡＳの剛性が確保される。
【００３９】
また、フレームアセンブリＦＡＳは、平面視で奏者側が開口した略コ字状を呈し、単独では、開口側の開閉方向への力に対して最も弱い。しかしながら、鍵盤ユニット保持部１６Ｌａ、１６Ｒａに鍵盤ユニットＫＢをネジ止め固定することで、フレームアセンブリＦＡＳの開口側の開閉方向の動きが規制されるようになっている。これにより、完成後の電
子鍵盤楽器においては、フレームアセンブリＦＡＳは、開口側が開閉方向に動かないようになり、あらゆる方向に対して高い剛性を実現することができる。しかも、スピーカユニットＳＰのスピーカユニット保持部１７Ｌａ、１７Ｒａへの固定、及びペダル鍵盤ユニットＰＫのＰＫ取付部１８Ｌ、１８Ｒへの取り付け固定によっても電子鍵盤楽器全体の剛性確保に寄与している。
【００４０】
本実施の形態によれば、電子鍵盤楽器において、左側フレーム体ＬＦＭ及び右側フレーム体ＲＦＭを連結する際、連結体（２０ＡＳ等）の両端部を嵌合用ブロック（２３等）に嵌合することで、位置決めと安定的な仮保持が１人で作業する場合であっても容易である。しかも、嵌合用ブロックに連結体を螺着してその連結体の端面を実質的に両フレーム体ＬＦＭ、ＲＦＭに対して圧接状態とするので、両フレーム体ＬＦＭ、ＲＦＭが連結体と直接的に結合した状態となり、上記嵌合用ブロックと連結体端部との嵌合による、対ねじれを含む強化とも相まって、連結部分の剛性を高めることができる。よって、フレームアセンブリＦＡＳの連結部分の剛性を確保しつつ、組み立て作業を容易にすることができる。
【００４１】
また、両連結体２０ＡＳ、連結体３０ＡＳは、その各開口部（２０ａ等）が奏者側及び後方から見えず、他の部分も奏者からは見えないので、良好な外観を確保することができる。しかも、鍵盤ユニットＫＢ等を固定することで、フレームアセンブリＦＡＳの開口側の開閉方向の動きを規制して、電子鍵盤楽器全体の高い剛性を確保することができる。その際、鍵盤ユニットＫＢは必須構成要素であるので、構成がいたずらに複雑化することもない。
【００４２】
次に、本発明の第１の実施の形態に係る楽器用椅子を説明する。
【００４３】
図５（ａ）は、本発明の第１の実施の形態に係る楽器用椅子の側面図、図５（ｂ）は、同楽器用椅子の正面図である。以降、図５（ｂ）の左方、右方を「左方」、「右方」と呼称する。本楽器用椅子は、好ましくは、上記電子鍵盤楽器と共に使用される。
【００４４】
図５に示すように、本楽器用椅子は、左右一対の左側フレーム体３１Ｌと右側フレーム体３１Ｒとを、第１、第２、第３連結体３２ＡＳ、３３ＡＳ、３４ＡＳで連結固定し、さらに、左側フレーム体３１Ｌ及び右側フレーム体３１Ｒの上部に座板部３５を支持して構成される。左側フレーム体３１Ｌ及び右側フレーム体３１Ｒは左右対称に、いずれも金属製で中空の４本のフレームで一体に構成され、側面視略四角形を呈する。
【００４５】
第１〜第３連結体３２ＡＳ〜３４ＡＳは、上記電子鍵盤楽器における上側連結体２０ＡＳあるいは下側連結体３０ＡＳと同様に構成され、固定金具２２に相当する不図示の部材等を両端部に有する。第１、第２連結体３２ＡＳ、３３ＡＳは両フレーム体３１Ｌ、３１Ｒの上部、第３連結体３４ＡＳは下部をそれぞれ連結する。また、第１〜第３連結体３２ＡＳ〜３４ＡＳに対応する固定部分についても、上記電子鍵盤楽器における「左部上側固定部分２３ＡＳ」と同様に、図示しない嵌合用ブロックが内側方向に相対向して突設固定されて構成される。
【００４６】
第１〜第３連結体３２ＡＳ〜３４ＡＳの両フレーム体３１Ｌ、３１Ｒに対する螺着固定の態様は、上記電子鍵盤楽器における上側連結体２０ＡＳ及び下側連結体３０ＡＳの左側フレーム体ＬＦＭ、右側フレーム体ＲＦＭへの螺着固定と同様である。
【００４７】
本実施の形態の楽器用椅子によれば、連結部分の剛性を確保しつつ、組み立て作業を容易にすることに関し、上記電子鍵盤楽器の場合と同様の効果を奏することができる。
【００４８】
なお、楽器用椅子において、連結部分の剛性を確保しつつ、組み立て作業を容易にする
という観点からは、図５に示す例のように、嵌合用ブロックが両フレーム体３１Ｌ、３１Ｒの内側面に相対向して突設される構成に限定されるものでなく、例えば、次に変形例を示すように、嵌合用ブロックが、外側方向に向かって突設される構成であってもよい。
【００４９】
図６は、本実施の形態の楽器用椅子の変形例を示す外観斜視図である。
【００５０】
本変形例の楽器用椅子は、図５に示す楽器用椅子に対して、嵌合用ブロックの突設方向、及び、第１、第２連結体の構成が異なり、その他の構成は同様である。
【００５１】
図６に示すように、上記第１、第２連結体３２ＡＳ、３３ＡＳに相当する第４、第５連結体３２ＡＳ’、３３ＡＳ’が設けられる。嵌合用ブロックは、図示しないが、両フレーム体３１Ｌ、３１Ｒの前部上部及び後部上部の各外側面から外側方向にそれぞれ突設される。第４、第５連結体３２ＡＳ’、３３ＡＳ’の両端部は湾曲して互いに内側を向いており、図５の例と同様に、各々対応する嵌合用ブロックに嵌合される。フレーム体３１Ｌ、３１Ｒの第５連結体３３ＡＳ’側が、楽器に対向する側となる。
【００５２】
また、左側フレーム体３１Ｌ及び右側フレーム体３１Ｒの上部に座板部３５’が支持される。座板部３５’は、第４、第５連結体３２ＡＳ’、３３ＡＳ’の上面を覆うように略矩形に形成され、従って、４隅において、角部のない安全な椅子が実現されるだけでなく、座板部３５’の前後または左右の端部を手で持って移動させやすい等の長所もある。
【００５３】
（第２の実施の形態）
次に、本発明の第２の実施の形態に係る電子鍵盤楽器を説明する。
【００５４】
図７（ａ）は、本発明の第２の実施の形態に係る電子鍵盤楽器の、図２のＡ部に相当する部分の構成を示す外観斜視図である。図７（ｂ）は、同図（ａ）のＢ面に沿う水平断面を上方からみた図である。
【００５５】
本第２の実施の形態では、嵌合用ブロック２３に代えて係合用ブロック５０を、下側連結体３０ＡＳに代えて下側連結体７０ＡＳを備える点が第１の実施の形態の電子鍵盤楽器と異なる。また、上側連結体についても、上側連結体２０ＡＳに代えて下側連結体７０ＡＳと同様に構成されるものが採用される（図示省略）。その他の構成は第１の実施の形態の電子鍵盤楽器と同様である。
【００５６】
図７（ａ）、（ｂ）に示すように、係合用ブロック５０は、その左端面５０ｃが後側支柱フレーム１４Ｌに不図示のネジで仮螺着された後、溶接によって固定される。これにより、係合用ブロック５０は、後側支柱フレーム１４Ｌから内側方向に突設した状態で後側支柱フレーム１４Ｌに強固に固定される。係合用ブロック５０には、後面側に、凹状テーパ部５１が形成されている。凹状テーパ部５１は、平面視でハ字状を呈して上下方向に長い一対のテーパ斜面５１ａ、５１ｂを有する。
【００５７】
一方、下側連結体７０ＡＳの左右両端部の構成は左右対称で同様であるので、下側連結体７０ＡＳの左端部７０ＡＳｃについて詳細に説明する。下側連結体７０ＡＳは、金属製の断面略矩形の中空のパイプ部材７０の左右両端部にそれぞれ固定部材６０を固定して構成される。すなわち、図７（ａ）、（ｂ）に示すように、パイプ部材７０の左端部７０ｃには、固定部材６０が嵌合される。固定部材６０は、例えば、その上面６０ａ及び前面６０ｂがパイプ部材７０の内側面にスポット溶接等で固定される。
【００５８】
固定部材６０の前側には、凸状テーパ部６１が形成されている。凸状テーパ部６１は、平面視でハ字状を呈して上下方向に長い一対のテーパ斜面６１ａ、６１ｂを有する。これらテーパ斜面６１ａ、６１ｂは、下側連結体７０ＡＳの左端部７０ＡＳｃを係合用ブロック５０に取り付ける際、係合用ブロック５０の上記テーパ斜面５１ａ、５１ｂに対してそれぞれ対向する。
【００５９】
また、パイプ部材７０の左端部７０ｃの前面側には、固定部材６０の凸状テーパ部６１をほぼ露出させるための開口部が形成されている。すなわち、開口部の上部に相当し、垂下している上側鍔部７１と、開口部の下部に相当し、上方に突出している下側鍔部７２との間から、凸状テーパ部６１が臨めるようになっている。
【００６０】
上側鍔部７１の下面７１ａと下側鍔部７２の上面７２ａとの間隔は、係合用ブロック５０の高さ方向の幅よりやや大きい程度に設定されており、後述するように、下側連結体７０ＡＳの左端部７０ＡＳｃを係合用ブロック５０に係合固定する際のガイド機能を上側鍔部７１、下側鍔部７２が果たすようになっている。
【００６１】
下側連結体７０ＡＳを係合用ブロック５０に固定する際には、図７（ａ）に示すように、下側連結体７０ＡＳの左端部７０ＡＳｃを、後方から係合用ブロック５０に係合させていく。このとき、上側鍔部７１の下面７１ａと下側鍔部７２の上面７２ａとが、係合用ブロック５０の上面５０ａ、下面５０ｂにそれぞれ案内される。また、その際、左端部７０ＡＳｃの左端面７０ｂも後側支柱フレーム１４Ｌにほぼ突き当てるようにして前方に移動させれば、下側連結体７０ＡＳの長手方向についても、後側支柱フレーム１４Ｌにより左端面７０ｂが案内される。
【００６２】
このように案内されることで、自動的に、係合用ブロック５０のネジ止め用穴５０ｄと固定部材６０のネジ穴６０ｃの位置が合致すると共に、テーパ斜面５１ａ、５１ｂとテーパ斜面６１ａ、６１ｂとが対向当接する。従って、上側鍔部７１及び下側鍔部７２と係合用ブロック５０の上面５０ａ、下面５０ｂとは、係合用ブロック５０に対する左端部７０ＡＳｃの上下方向の仮位置決め機能を果たすことになる。また、後側支柱フレーム１４Ｌと左端部７０ＡＳｃの左端面７０ｂとが、下側連結体７０ＡＳの長手方向における、係合用ブロック５０に対する左端部７０ＡＳｃの仮位置決め機能を果たすことになる。これにより、組み付け作業が容易である。
【００６３】
その後、ネジ４９で係合用ブロック５０に固定部材６０を螺着固定することで、左端部７０ＡＳｃが後側支柱フレーム１４Ｌ乃至係合用ブロック５０に対して固定される。そのとき、ネジ４９の締め付け力により、テーパ斜面５１ａ、５１ｂとテーパ斜面６１ａ、６１ｂとは、圧接状態となる。なお、これらテーパ斜面同士を除き、係合用ブロック５０と固定部材６０との間には、僅かな隙間が生じるか、強く当接しない程度に、各所の寸法及びその公差が設定されている。従って、実質的には、テーパ斜面同士の圧接により、係合用ブロック５０と固定部材６０との強固な固定状態が確保される。それと共に、テーパ斜面同士の圧接により、係合用ブロック５０に対する固定部材６０の、テーパ斜面５１ａ、５１ｂの双方に平行な直線の方向（ここでは上下方向）以外の方向の最終的な位置決めが自動的になされる。
【００６４】
すなわち、テーパ斜面５１ａ、５１ｂとテーパ斜面６１ａ、６１ｂとの圧接により、特に、下側連結体７０ＡＳの長手方向の剛性が高いが、それだけでなく、下側連結体７０ＡＳの長手方向の軸及び後側支柱フレーム１４Ｌの長手方向の軸の双方を含む面内で、係合用ブロック５０に対して固定部材６０が回転しようとする方向に対しても剛性が高い。これらと、ネジ４９の螺着による固定と相まって、左端部７０ＡＳｃと係合用ブロック５０との結合部分は、あらゆる方向に対して剛性が高くなっている。
【００６５】
ところで、上側鍔部７１の下面７１ａと下側鍔部７２の上面７２ａとに、係合用ブロック５０の方向（前方）に向かって開口するテーパ形状を設けるのが望ましい。そのようにすれば、係合用ブロック５０に上側鍔部７１、下側鍔部７２が係合する最初の段階が円滑となって、作業が一層容易となる。また、組み付け時における下側連結体７０ＡＳのガイド機能を確保するためには、下面７１ａ、上面７２ａの全領域をテーパ状にするのではなく、後部に平坦部を所定量（２ｍｍ程度）残して、テーパ斜面５１ａ、５１ｂとテーパ斜面６１ａ、６１ｂとの当接時において、それら平坦部が係合用ブロック５０に対向乃至当接するようにするのが望ましい。
【００６６】
本実施の形態によれば、左端部７０ＡＳｃの固定部材６０を係合用ブロック５０に螺着固定すると、両者に設けられた一対のテーパ斜面同士が圧接状態となるので、螺着固定と相まって、あらゆる方向に対して剛性が高い。また、テーパ斜面同士が圧接状態となると、係合用ブロック５０に対する固定部材６０の上下方向以外の方向の位置決めが自動的になされ、上下方向についてもネジ４９とネジ穴６０ｃとによって位置決めされるので、全方向の位置決めが容易である。しかも、係合用ブロック５０の上側鍔部７１、下側鍔部７２、係合用ブロック５０の上面５０ａ、下面５０ｂが、左端部７０ＡＳｃを係合用ブロック５０に係合させる際の左端部７０ＡＳｃの位置を規制するための位置決め手段として機能し、これらによって左端部７０ＡＳｃがガイドされるので、組み付け作業が一層容易である。
【００６７】
なお、テーパ斜面５１ａ、５１ｂは係合用ブロック５０の後側に設けたが、設ける位置は、係合用ブロック５０の内側方向端面以外であればよく、例えば、係合用ブロック５０の上側、前側、下側等に設け、テーパ斜面６１ａ、６１ｂの配置をそれに対応させればよい。また、テーパ斜面５１ａ、５１ｂは上下方向に長手としたが、下側連結体７０ＡＳの長手方向に対して十分な角度を形成するような方向であれば、上下方向に限定されるものではない。
【００６８】
なお、上記第１、第２の実施の形態において、連結体として電子鍵盤楽器では２本、楽器用椅子では３本の構成を例示したが、本数は例示したものに限定されない。
【００６９】
また、スピーカユニットＳＰやペダル鍵盤ユニットＰＫについては、これらを当初から設けない電子鍵盤楽器についても本発明を適用可能である。
【図面の簡単な説明】
【００７０】
【図１】本発明の第１の実施の形態に係る電子鍵盤楽器の外観斜視図である。
【図２】同電子鍵盤楽器の分解斜視図である。
【図３】上側連結体の左端部と左側フレーム体との連結関係を示す分解図である。
【図４】上側連結体の左端部の左側フレーム体に対する連結状態を示す図である。
【図５】本発明の第１の実施の形態に係る楽器用椅子の側面図（図（ａ））及び正面図（図（ｂ））である。
【図６】本実施の形態の楽器用椅子の変形例を示す外観斜視図である。
【図７】本発明の第２の実施の形態に係る電子鍵盤楽器の、図２のＡ部に相当する部分の構成を示す外観斜視図（図（ａ））、及び同図（ａ）のＢ面に沿う水平断面を上方からみた図である。
【符号の説明】
【００７１】
１４Ｌ、１４Ｒ  後側支柱フレーム（脚体の後部）、  １６Ｌａ、１６Ｒａ  鍵盤ユニット保持部、  ２０  パイプ部材、  ２０ａ  開口部、  ２０ｂ１、２０ｂ２  端面、  ２０ＡＳ  上側連結体（連結体）、  ２０ＡＳｃ  左端部、  ２０ＡＳｄ  右端部、  ２２  固定金具、  ２３  嵌合用ブロック（嵌合部材）、  ２７  締め付けネジ、  ３０ＡＳ、７０ＡＳ  下側連結体（連結体）、  ３０ＡＳｃ、７０ＡＳｃ  左端部、  ３０ＡＳｄ  右端部、  ３１Ｌ  左側フレーム体（脚体）、  ３１Ｒ  右側フレーム体（脚体）、  ３２ＡＳ  第１連結体（連結体）、  ３３ＡＳ  第２連結体（連結体）、  ３４ＡＳ  第３連結体（連結体）、  ３５  座板部、  ４１  鍵盤部、  ５０  係合用ブロック（係合部材）、  ５０ａ  上面（位置決め手段の一部）、  ５０ｂ  下面（位置決め手段の一部）、  ５１ａ、５１ｂ  テーパ斜面、  ６０  固定部材、  ６１ａ、６１ｂ  テーパ斜面（対向斜面）、  ７１  上側鍔部（位置決め手段の一部）、  ７２  下側鍔部（位置決め手段の一部）、  ＦＡＳ  フレームアセンブリ（楽器用フレーム）、  ＫＢ  鍵盤ユニット、  ＳＰ  スピーカユニット、  ＰＫ  ペダル鍵盤ユニット、  ＬＦＭ  左側フレーム体（脚体）、  ＲＦＭ  右側フレーム体（脚体）
【図１】
2005122088.tif 000003
【図２】
2005122088.tif 000004
【図３】
2005122088.tif 000005
【図４】
2005122088.tif 000006
【図５】
2005122088.tif 000007
【図６】
2005122088.tif 000008
【図７】
2005122088.tif 000009